Podtech/llm-jp-corpus-v4-ja_patent huggingface dataset:
(57)【要約】      （修正有）【課題】補聴器などイヤホンとマイクを備える機器において、ハウリングの発生を防止する新たなイヤホンの構造を提供する。【解決手段】イヤホン振動板１の裏面音は正規出力音の逆位相の音で、従来外部に出ないように密閉されていた。振動板の裏面から同時に音を取り出して正規音出力と相殺させることによってハウリングを防止する。【選択図】図１
2015080183.tif 000002
【特許請求の範囲】
【請求項１】
イヤホン振動版の裏面（振動出力の反対側）からも出力を取り出して振動板表面からの出力と相殺させることを特徴とするイヤホンの音響構造
【請求項２】
両出力のうち表面よりの出力を正規の音響出力として使用し、同時に裏面よりの出力を耳栓部より出力させることを特徴とする請求項１のイヤホンの音響構造
【請求項３】
耳栓部の出力がイヤホンの耳孔挿入によって閉鎖されたときは裏面出力のみが遮断されて振動版表面よりの出力のみが有効になるようにされた請求項１、２のイヤホンの音響構造
【請求項４】
イヤホンが正常に耳孔に挿入されているときは従来同様のイヤホンの機能を果たし、イヤホンが耳孔から抜かれたときは出力音がほぼゼロになることを特徴とする請求項１，２，３のイヤホンの音響構造
【発明の詳細な説明】
【技術分野】
【０００１】補聴器などイヤホンとマイクを持つ機器に使用されるイヤホンのハウリング防止構造を提供する
【背景技術】
【０００２】従来ハウリングを防止するには高域遮断、位相反転などの手段が提供されているがいづれも実用的に効果が低く重大な課題として残っていた
【発明の開示】
【発明が解決しようとする課題】
【０００３】イヤホン振動板の裏面音は正規出力音の逆位相の音であるのは当然であって公知のことである。この逆位相の音は従来忌避されて外部に出ないように密閉されていた。
このせっかくの逆位相音をハウリング防止に有効活用するのがこの発明である。
【課題を解決するための手段】
【０００４】図１にその具体的構造の例を示す。振動板１は駆動部２によって振動する。駆動部は電磁石や圧電素子など各種存在するがここでは記載省略する。
振動板１の裏面の出力をパイプ４によって出力する。
振動板１の正規の出力はそのまま出力管５から出力される。
出力管５には耳栓３が密着している。この構造は従来のイヤホン構造とほとんど同一で異なるのはパイプ４があることのみである。【０００５】パイプ４は耳栓３の腹部に開口している。
【発明の効果】
【０００６】イヤホンが耳孔に挿入されていないとき音出力は振動板表面音と裏面音とがほぼ同様に出力するので相殺されて極めて低出力となる。（音がほとんど出ない）したがってこのときはハウリングが発生しない。
イヤホンが耳孔に挿入されるとパイプ４の開口部は閉鎖されるのでこの出力は阻止されて正規の出力管５のみの出力となり従来のイヤホンとまったく同一の機能となる。
イヤホンが正常に耳孔に挿入されていないときにハウリングが起きなくなるのできわめて快適なイヤホン使用が可能になる。
【発明を実施するための最良の形態】
【０００７】図２は異なる構造の実施例である。
振動板１を図１より９０度回転させて配している。この配置によって正規音と逆相音とがよりバランスされるので両音の相殺がさらに有効になる。
さらに図３はオープンエア型と呼ばれるイヤホンに適用した例である。この場合逆相音はイヤホン後部からそのまま放出すればよいが正規音のもれは耳あて１０と外耳皮膚１１との接触条件によって大幅に変化するのでこのもれを打ち消す条件は一定ではなく逆相音の出力を適当に減衰させる必要がある。ここでは逆相音パイプ４の出口に吸音材１２を入れて減衰させているが実際にはこれの調節が必要になる。
なお従来よりバスレフなる構造がスピーカに用いられているがこれは振動板の後方音を音響的に位相反転させて前面より放射して低音の増強を図る方法であってこの発明とは根本的に相違する。
【図面の簡単な説明】
【０００８】
【図１】図１は本発明のイヤホンの構造を示す。
【図２】図２は本発明の別の構造を示す。
【図３】図３は本発明の別の構造を示す。
【符号の説明】
【０００９】１  振動板    ２  駆動部      ３  耳栓          ４  パイプ
５  出力管    １０  耳あて    １１  外耳皮膚    １２  吸音材
【図１】
2015080183.tif 000003
【図２】
2015080183.tif 000004
【図３】
2015080183.tif 000005
(57)【要約】      （修正有）【課題】低い電源電圧で使用できるトランジスタを使用した可変抵抗素子を提供する。【解決手段】トランジスタ１による可変抵抗素子はコンデンサ２と直列していてＨＰＦになっている。トランジスタ１のベースには高抵抗３を経由して電源４から制御電圧が印加される。電源４の電圧を可変すればトランジスタ１の抵抗が変化してＨＰＦの遮断周波数が変化する。【選択図】図１
2015080184.tif 000002
【特許請求の範囲】
トランジスタのコレクタを直流的に解放し、こことエミッタ間を抵抗素子として使用し、その抵抗値をベース電圧によって制御することを特徴とする可変抵抗素子。
【発明の詳細な説明】
【技術分野】
【０００１】電圧制御される抵抗素子の改良に係る
【背景技術】
【０００２】  従来電圧制御される抵抗素子にはいろいろのものがありいずれも公知である。
【発明が解決しようとする課題】
【０００３】低い電源電圧で使用でき入手容易な素子は現在ほとんど存在しない。
【課題を解決するための手段】
【０００４】トランジスタは入手容易なアナログ素子の代表でありこれを電圧制御抵抗素子に使用することによってこの問題を克服できる。
【０００５】一般的なトランジスタの使用法は線形動作範囲でのものでこの従来回路では可変抵抗素子にはならない。
図によってこの手段を説明する。
図１は実施の回路である。
トランジスタ１のコレクターは直流電源には接続せず直流電圧は印加しない。
図１の例はＨＰＦ（ｈｉｇｈ  ｐａｓｓ  ｆｉｌｔｅｒ）を構成したものでトランジスタ１による可変抵抗素子はコンデンサ２と直列していてＨＰＦになっている。トランジスタ１のベースには高抵抗３を経由して電源４から制御電圧が印加される。
電源４の電圧を可変すればトランジスタ１の抵抗が変化してＨＰＦの遮断周波数が変化する。
ダイオードの電圧電流特性は非線形であり（指数関数で近似される）この曲がりを利用した制御回路は公知であった。
しかしトランジスタの開放コレクタを使用する回路は知られておらず新規のものである。
図１の回路の基本動作はトランジスタのベース−エミッタ接合のダイオードによる非線形性を使用するものであるが取り出しを開放コレクタから行うのが改良点である。
この回路の挙動とくに開放コレクタの役割が如何なるものであるのかは現在未解明であるが、この回路の有効性は実験によって判明している。
図２は図１の回路によってＨＰＦを構成したときの減衰量と制御電圧との関係をとったものである。図２において下の線が図１の回路によるものであり上の線は図３の回路によるものである。この差が本発明の回路の有効性を示すもので制御電圧１０Ｖで約８ｄＢの効果がある。
なお図３はトランジスタのベース−エミッタのみを使用するもので接合ダイオードとみなしえるものである。これだけでは公知であって特許請求範囲には含めない。
図４は本発明の別の実施例である。トランジスタに相補のものを使用し歪の低減を図る。この回路では当然両トランジスタの制御電圧は互いに逆の電圧を掛ける。
この回路の特性は図２にほぼ等しいが歪はかなり低減され大きい入力電圧に対応できるようになる。
【発明の効果】
【０００６】一般的に入手し易く安価なトランジスタを使用して電圧制御可能の抵抗素子を構成することが出来利益は大きい。
【発明を実施するための最良の形態】
【０００７】この構成はＨＰＦに限らず電圧制御ＡＴＴ（ａｔｔｅｎｕａｔｅｒ）にもなりえる。
当然各種ｆｉｌｔｅｒ  ＬＰＦ  ＢＰＦなどにも使用可能である。また制御電圧を入力信号のレベルにすればＡＧＣ（ａｕｔｏ  ｇａｉｎ  ｃｏｎｔｒｏｌ）などにも使用可能である。
なお非線形特性の応用であるから信号レベルは大きくはできず１Ｖ以下にしなければならない。
【図面の簡単な説明】
【０００８】
【図１】本発明実施の回路例
【図２】本発明実施の制御特性
【図３】従来の回路例
【図４】本発明実施の別の回路例
【符号の説明】
【０００９】１  トランジスタ    ２  コンデンサ    ３  高抵抗
４  制御電源    ５  入力    ６  出力    ７  相補の制御電源
【図１】
2015080184.tif 000003
【図２】
2015080184.tif 000004
【図３】
2015080184.tif 000005
【図４】
2015080184.tif 000006
(57)【要約】【課題】植物の花芽形成・果樹育成への影響を無くした、カメ虫捕虫装置の提供。【解決手段】緑色光を発光するカメ虫捕虫装置である。捕虫装置の光源は、ピーク波長５２５ｎｍ〜５３０ｎｍ付近となるＬＥＤ群を有する発光装置である。【選択図】図４
2015080476.tif 000002
【特許請求の範囲】
【請求項１】
５００ｎｍ〜５５０ｎｍの波長域を有する緑色光のみを有するＬＥＤ群ランプでピーク波長５２５ｎｍ〜５３０ｎｍ付近となるＬＥＤ使用によるカメ虫捕虫装置。
【発明の詳細な説明】
【技術分野】
【０００１】  本発明は、農業分野もしくは家屋、工場、店舗などの商業施設においてカメムシを捕虫するために設置する、カメ虫捕虫装置に関するものである。
【背景技術】
【０００２】  植物の花芽・果樹形成への影響を低減した捕虫装置を提供する内容の公開特許公報による。【０００３】  カメムシ類のほとんどが夜行性のため、周囲が暗くなる夜間に活動するが、周囲が明るい昼間はほとんど活動しない。
【先行技術文献】
【特許文献】
【０００４】
【特許文献１】  特願２０１３−１４７９７号
【発明の概要】
【発明が解決しようとする課題】
【０００５】  ピーク波長５２５ｎｍ〜５３０ｎｍの捕虫装置は、植物の花芽形成に影響が少ない波長といわれているが、実際の圃場での菊栽培で活用したところ照度の強度に対して多大なる影響が出ることを確認した。【０００６】  ５００ｎｍ〜５５０ｎｍの波長域を有する緑色光のみを有するＬＥＤ群ランプでピーク波長域５２５ｎｍ〜５３０ｎｍ付近で、カメ虫が集中した。そのカメ虫を補足する、カメムシ捕虫装置。
【課題を解決するための手段】
【０００７】  長日植物に対しては、葉肉が厚くなり、短日植物に対しては花芽への影響が低照度から出ることが判った。
植物の種類により花芽分化する照度が異なることも判明した。（実験による）【０００８】  カメ虫か可視光線に対して正の走光性を有している。波長３８０ｎｍの波長に次いで強い誘引作用があると判明した。特にカメ虫は、緑・青色に引き寄せられる誘引効果が大きかった。（実験による）【０００９】  青色の高原は、植物の光合成に大きく作用し、夜間に植物に照射すると、植物に悪影響響を与えてしまいます。その点、みどり色は植物に与える影響が少ない。
（特願２０１３−１４７９７参照）【００１０】  カメムシ捕虫装置は、カメムシの誘引に対しては充分な照度を有し、植物の花芽形成には影響の出ない照度に制御した装置である。
【発明の効果】
【００１１】  カメムシ捕虫装置は、省エネルギー商品の代表でもあり、過去のどの商品に比較してもエネルギー消費は少なく、かつ経年劣化の少ない商品である。
経済性の優位性は大である。
【図面の簡単な説明】
【００１２】
【図１】  カメムシ捕虫装置の効果表である。
【図２】  カメ虫の光の強度との集中表である。
【図３】  カメムシ捕虫装置の波長表である。
【図４】  逆円錐捕虫器図である。
【図５】  電撃殺虫器又は粘着板及び併用図。（格１以上使用もある。）
【発明を実施するための形態】
【００１３】  図１は、梨園の圃揚９００ｍ２をもって試験を実施した。
対照区、非対照区は同面積で、対照区、非対照区は４００ｍの距離をおき調査した。
その結果は明らかに、対照区でのカメ虫の被害はなく、非対照区は梨のカメ虫野被害が大変多かった。
【符号の説明】
【００１４】１  逆円錐捕虫器
２  ピーク波長５２５ｎｍ〜５３０ｎｍのＬＥＤ群ランプ
３  電源
４  ピーク波長５２５ｎｍの波長形
５  電撃殺虫器又は粘着板及び併用
６  外注貯留箱
７  無設備区域
８  設置区域
９  カメ虫と照度相対表
【図１】
2015080476.tif 000003
【図２】
2015080476.tif 000004
【図３】
2015080476.tif 000005
【図４】
2015080476.tif 000006
【図５】
2015080476.tif 000007
(57)【要約】【課題】糞受け部が窪んで形成され、収納した犬の糞が透けて見えず、コンパクトで綺麗に携行出来、経済的で地球に優しい犬の糞受け回収具を提供する。【解決手段】犬の糞を収納する糞回収ビニール袋４に入れる畳むことの出来る枠体１と、糞回収ビニール袋４の糞受け部を挟んで窪みをつけ、糞受け部を形成する挟み部３を設けた弾性遮板２とよりなり、その弾性遮板２が枠体１に固着され、その枠体１の操作により糞回収ビニール袋４に窪んだ糞受け部を形成する。【選択図】図２
2015080474.tif 000002
【特許請求の範囲】
【請求項１】
犬の糞を収納する糞回収ビニール袋に入れる畳むことの出来る枠体と、糞回収ビニール袋の糞受け部を挟んで窪みをつけ、糞受け部を形成する挟み部を設けた弾性遮板とよりなり、その弾性遮板が枠体に固着され、その枠体の操作により糞回収ビニール袋に窪んだ糞受け部を形成することを特徴とする犬の糞受け回収具。
【発明の詳細な説明】
【技術分野】
【０００１】  本発明は、犬が糞を地面に排泄する前に糞を受け、糞回収ビニール袋に収納して回収する犬の糞受け回収具に関する。
【背景技術】
【０００２】  従来、犬の糞受け回収具としては、把手を付けたリング状の枠に、糞回収ビニール袋を装着した略昆虫網のような形状をしたものが主流であった。
【発明の概要】
【発明が解決しようとする課題】
【０００３】  ところが、上記犬の糞受け回収具は、糞回収ビニール袋の装着が面倒で、また糞を収納した糞回収ビニール袋は、携行中ぶらぶらして見た目の形状もよくなく、レジ袋や透明、半透明の袋を使用した場合、糞が透けて見え不快感があった。【０００４】  また、透けて見えない専用の犬の糞回収袋も販売されているが、経済的でなく、また生産、廃棄と地球環境にも良くなかった。【０００５】  上記犬の糞受け回収具は、伸びた芝生や草むらで使用する場合、糞回収ビニール袋が押し上げられ、排泄位置の低い犬の場合スムーズな糞受けが出来ないこともあった。【０００６】  本発明は、斯かる事情に鑑みてなされたもので、従来の前記問題を一挙に解決することが出来る犬の糞受け回収具を提供することを目的とする。
【課題を解決するための手段】
【０００７】  前記目的を達成するために、本発明の犬の糞受け回収具は、犬の糞を収納する糞回収ビニール袋に入れる畳むことの出来る枠体と、糞回収ビニール袋の糞受け部を挟んで窪みをつけ、糞受け部を形成する挟み部を設けた弾性遮板とよりなり、その弾性遮板が枠体に固着され、その枠体の操作により糞回収ビニール袋に窪んだ糞受け部を形成することを特徴とする。【０００８】
【発明の効果】
【０００９】  本発明によると枠体には不透明の弾性遮板が固着され、枠体を開いた状態での弾性遮板は、Ｖ字形状をしていて略左右対称となる対称軸が枠体より低い位置にある。枠体を畳んだ状態ではその弾性遮板は対称軸より折れた状態で、左右の対向する面が重なった形状になる。【００１０】  弾性遮板の低くなっている対称軸上の糞を受ける位置には、糞回収ビニール袋を挟み止める挟み部が施されていて、糞回収ビニール袋の糞受け部をその挟み部に挟むと窪みができ糞受け部が形成される。【００１１】  よって糞を収納する糞回収ビニール袋に、弾性遮板を固着した枠体を開いた状態で入れ、糞回収ビニール袋の糞受け部を弾性遮板の挟み部に挟んで窪みの糞受け部を形成し、その糞受け部で糞を受け、それより枠体を畳むと糞回収ビニール袋も畳まれ、受けた糞は枠体に挟まれた状態で収納される。【００１２】  このように本発明の犬の糞受け回収具は、枠体を糞回収ビニール袋に入れて糞回収ビニール袋を弾性遮板の挟み部に挟むだけで簡単に装着が出来る。また収納した糞も不透明の弾性遮板に被われて透けて見えず、畳まれてコンパクトに、見た目も良く携行出来る。更に専用袋を必要とせず、経費節減及び地球環境にも寄与する。【００１３】  窪みの糞受け部を形成せず略平面状の状態で糞を受けても、糞の重みで沈み収納部が出来、このとき弾性遮板を固着した枠体を糞回収ビニール袋に入れるだけで、窪みの糞受け部を形成することなく糞回収ビニール袋の装着が非常に簡単である。
【図面の簡単な説明】
【００１４】
【図１】  （ａ）は本発明の犬の糞受け回収具の弾性遮板が枠体に固着され、枠体が開いた状態を示す斜視図であり、（ｂ）は（ａ）を畳んだ状態示す斜視図である。
【図２】  本発明の犬の糞受け回収具で、糞回収ビニール袋に図１（ａ）を入れ糞回収ビニール袋を弾性遮板の挟み部に挟み、窪みの糞受け部を形成した状態を示す斜視図である。
【図３】  本発明の犬の糞受け回収具の図２を畳んだ状態を示す斜視図である。
【００１５】
【発明を実施するための形態】
【実施例】
【００１６】  本発明の実施の形態を添付図面に例示した本発明の実施例に基づいて、以下に具体的に説明する。【００１７】  添付図面において、図１（ａ）は畳むことの出来る枠体１を開き、その枠体１に弾性遮板２が固着されている。この弾性遮板２の左右を略対称に二分する対称軸は枠体１より下がっていてＶ字形状になっている。更にこの弾性遮板２の対称軸上の糞受け部には挟み部３が施されている。（ｂ）は枠体１を畳んだ状態で弾性遮板２は略対称に二分する対称軸より折れ曲がり、対向面が重なった状態になっている。【００１８】  よって枠体１の開いているときは弾性遮板２の対称軸は枠体１の面より下がっていて糞を収納する空間部を有している。枠体１を畳んだとき弾性遮板２は対称軸より折り曲がり左右対称の対向面が重なった状態となり、糞を収納した場合透けるのを遮る。【００１９】  図２は畳むことの出来る枠体１を開き、糞を収納する糞回収ビニール袋４に入れ、その糞回収ビニール袋４の糞受け部を弾性遮板２の挟み部３に挟み、窪んだ糞収納部を形成している。糞はこのスペースに受けられる。この窪みは糞受け部の目安にもなり、糞回収ビニール袋４の摩れ防止にもなっている。【００２０】  図３は糞を受け、枠体１を畳み携行するときの状態で、糞回収ビニール袋４は枠体１と共に折り畳まれ、糞は枠体１の間に挟まれた状態で収納されている。この形状は糞を収納してもしなくても殆ど変わらずコンパクトに携行出来る。【００２１】  この犬の糞受け回収具は枠体１を開いたり畳んだりの操作をするだけで収納量の範囲内で複数回重ねて収納出来る。【００２２】    以上本発明の実施例について説明したが本発明はその実施例に限定されることなく、本発明の範囲内で種々の実施例が可能である。たとえば前記実施例での弾性遮板２の形状をＶ字形状としているがＶ字形状に近い形状は勿論のこと、Ｕ字形状であっても良く、また弾性遮板２の一部を復元力の持たない柔軟性のある別材を使用することにより、糞を受けるとき枠体１を地面に押し付けると、弾性遮板２の復元力を持つ部分が押し上げられ、その軌道の変化を柔軟材部が吸収し、高さの変化を容易に変えることができる。（図示せず）
伸びた芝生や草むらでの使用は、弾性遮板２の復元力にその芝生や草が押され、糞受け部が押し上げられにくい。
【符号の説明】
【００２３】１．．．．．枠体
２．．．．．弾性遮板
３．．．．．挟み部
４．．．．．糞回収ビニール袋
【図１】
2015080474.tif 000003
【図２】
2015080474.tif 000004
【図３】
2015080474.tif 000005
(57)【要約】      （修正有）【課題】小便がしやすい、カットいれパンツを提供する。【解決手段】パンツ１に幅１５Ｃｍから３５Ｃｍの範囲内に於いて。いずれかの寸法で下部を１センチほど残し上部は股間より１０センチほどまでをカットする、または下部を全部カットしたものには、ゴム３でつなぐ小便がしやすいカットいれパンツ。【選択図】図２
2015187322.tif 000002
【特許請求の範囲】
【請求項１】
下着として用いるパンツの太ももの両脇に幅１０Ｃｍから３０センチ範囲にいずれかの寸法で下部を１センチほど残しカットを入れる。又は下部までカットをしたものには下部を１Ｃｍ幅程のゴムなどでつなぐ、小便がしやすいカットいれパンツ。
【発明の詳細な説明】
【技術分野】
【０００１】本発明は、下着として用いるパンツに１５Ｃｍから３５Ｃｍの間の範囲の中で左右対称に２本のカットを下部を１Ｃｍ残してカットいれる。
入れ、またはゴムで下部を止める
小便がしやすい、カットいれパンツに関するものである。
【背景技術】
【０００２】従来、小便をするときには、中心の穴や、パンツの裾をめくりあげてしていた。
【発明の開示】
【発明が解決しようとする課題】
【０００３】そのために、次のような問題点があった。
（イ）冬場にスパッツをはいているときには、中心の、穴が探しにくかった。
本発明は、以上の問題点を解決しようとするものである。
【課題を解決するための手段】
【０００４】下着として、用いるパンツに、幅１５Ｃｍから３５Ｃｍの範囲にいずれかの寸法で下部を１Ｃｍほど残して、また上部は股間から１０Ｃｍほどまでカットを入れる．以上を特徴とする。
小便がしやすい、カットいれパンツである。
【発明の効果】
【０００５】本発明は、小便をするときに、指先を両脇に差し込むだけで簡単に指先が股間に届き、中心の穴を探さなくても、簡単に小便ができる。
【発明を実施するための最良の形態】
【０００６】以下、本発明の実施の形態を説明する
（イ）下着として用いる、パンツに幅１５Ｃｍから３５Ｃｍの間にいずれかの寸法でカットを入れる、下部は１Ｃｍほど残し，また上部は股間から１０Ｃｍほどまでカットを入れる。又は、下部までカットしたものには、下部をゴムなどでつなぐ
本発明は、以上の構成よりなっている。
【図面の簡単な説明】
【０００７】
【図１】下部を、１センチほど残したパンツの斜視図
【図２】下部までカットしたパンツをゴムでつないだ斜視図
【符号の説明】
【０００８】１  パンツ
２  カットを１センチほど残したパンツ
３  下部までカットしたパンツをつないだゴム
【図１】
2015187322.tif 000003
【図２】
2015187322.tif 000004
(57)【要約】【課題】  従来、がん治療は外科手術、放射線治療、投薬治療などで対処している。しかし、外科手術、放射線治療、投薬治療では成果が上がらないことがある。そのためがん細胞は細胞分裂を繰り返し増殖してしまう。【解決手段】本発明は、重水素減少水（ＤＤＷＡＴＥＲ）を原料とした注射用水を、がん性腹水を抜いた後に抜いた量の５０％をカテーテル、注射器等の医療機器で体内の腹腔内に注入し、体内の重水素濃度を低下させる。体内の重水素濃度が低下することによって、たんぱく質の結合が弱体化することにより、がん細胞が崩壊し壊死させることができる。注入する重水素減少水（ＤＤＷＡＴＥＲ）の重水素濃度は、８０ｐｐｍ以下が最適である。また、腹腔内に存在するがん細胞に対しては、重水素減少水（ＤＤＷＡＴＥＲ）に直接浸るため即効性がある。【選択図】なし【特許請求の範囲】
【請求項１】
体内の重水素濃度を１５０ｐｐｍ以下に低下させることによってがん細胞が崩壊し、壊死することを効果的に行なうため、水に含まれる重水素濃度が８０ｐｐｍ以下の重水素減少水（ＤＤＷＡＴＥＲ）を原料とした注射用水を体内に注入し、体内の重水素濃度を低下させるがん治療である。
【請求項２】
重水素減少水（ＤＤＷＡＴＥＲ）の注入は、がん性腹水を体内から抜いた後に抜いた量の５０％の量をカテーテル、注射等の医療機器でがん性腹水が溜まっていた腹腔内に注入する。重水素減少水（ＤＤＷＡＴＥＲ）を原料とした重水素濃度が８０ｐｐｍ以下の注射用水を注入することにより、人体内の重水素濃度が通常の状態である１５０ｐｐｍより低下し、たんぱく質の結合が弱くなることで体内の自由水の動きが速くなり、がん細胞が崩壊し壊死する。自由水は１０の−１２乗秒で運動するが、たんぱく質と結合すると１０の−６乗秒に運動速度が低下する。抜いた腹水は、腹水濾過濃縮再静注法による治療に使用することも可能である。
【請求項３】
腹腔内のがん細胞は直接重水素減少水（ＤＤＷＡＴＥＲ）に浸され、低い重水素濃度の環境にさらされることになるため、その部位のがんに対しては即効性がある。
【発明の詳細な説明】
【技術分野】
【０００１】  本発明は、体内の重水素濃度を１５０ｐｐｍ以下に低下させることによってがん細胞が崩壊し壊死することを効果的に行なうため重水素減少水（ＤＤＷＡＴＥＲ）を原料とした注射用水をカテーテル、注射器等の医療機器で体内に注入することによって、重水素減少水（ＤＤＷＡＴＥＲ）を飲むよりも速く体内の重水素濃度を低下させることによって行なう治療方法である。
【背景技術】
【０００２】  従来、がん治療は外科手術、放射線治療、投薬治療などで対処するのが通常である。
【発明の概要】
【発明が解決しようとする課題】
【０００３】  現実において、従来の外科手術、放射線治療、投薬治療では成果が上がらないことがあり、がん細胞は増殖するケースが多々ある。
【課題を解決するための手段】
【０００４】  本発明者等は係る課題を解決するために鋭意研究したところ、がん治療のために重水素減少水（ＤＤＷＡＴＥＲ）を原料とした注射用水を体内に注入する治療方法を開発して、本発明を提供するものである。【０００５】  すなわち本発明は、重水素減少水（ＤＤＷＡＴＥＲ）を原料とした注射用水を体内に注入し、体内の重水素濃度を低下させることによって起こる、がん細胞のたんぱく質の結合の弱体化を利用した治療方法である。
【発明の効果】
【０００６】  以上説明したように、本発明によれば重水素濃度８０ｐｐｍ以下の重水素減少水（ＤＤＷＡＴＥＲ）を原料とした注射用水をがん性腹水を抜いた後の腹腔内にカテーテル、注射器等の医療機器で体内に注入することにより、体内の重水素濃度が速く低下し、結合の弱くなったがん細胞を崩壊させ壊死させることが可能となる。【０００７】  また、体内に直接注入することにより重水素減少水（ＤＤＷＡＴＥＲ）に直接浸される部位にあるがん細胞は、重水素濃度の低い環境にさらされることになるため、即効性がある。
【発明を実施するための形態】
【０００８】  本発明は重水素減少水（ＤＤＷＡＴＥＲ）を原材料として製造した注射用水を生理食塩水にしてカテーテル、注射器等の医療機器で体内に注入し、より効果的に体内の重水濃度を低下させる。
【０００９】  がん患者はがんが進行するとがん性腹水が腹腔内に溜まってしまい、苦痛を伴うため腹水を抜く治療が行われる。
【００１０】  重水素減少水（ＤＤＷＡＴＥＲ）を注入する部位は、がん性腹水を抜いた後の腹腔内に抜いた腹水の量の５０％をカテーテル、注射器等の医療機器で注入する。抜いた腹水は、腹水濾過濃縮再静注法による治療に使用することも可能である。
【００１１】  注入する重水素減少水（ＤＤＷＡＴＥＲ）の重水素濃度は８０ｐｐｍ以下が効果的であり、体内の重水素濃度を通常の状態である１５０ｐｐｍより低下させるとたんぱく質の結合が弱くなる事でがん細胞の結合が弱くなりその結果崩壊し壊死する。
(57)【要約】【課題】    パイプに、２００分の１，１００分の１，５０ぶんの１、直線を入れる、角度付き継ぎ手を使用して、水平器を使わなくても正確な勾配で配管が出来るパイプの直線入れ機を提供する。【解決手段】    溝付きレールにパイプを固定して乗せ、２００分の１  １００分の１，５０分の１、のところでクリップをつけ４０ｍｍ、５０ｍｍ、６５ｍｍ、７５ｍｍ、１００ｍｍ、１２５ｍｍ、１５０ｍｍ、のパイプの外径に、しるしをした、マーカーをつけて溝付きレールに逆Ｕ字型の、軸を、たとえば、１００ｍｍのパイプで２００分の１の配管を、するときには、２００分の１，１００ぶんの１、の直線を入れます、右に２００分の１、その次は、左に２００分の１に勾配を、つけたいときは、継ぎ手の中心点を、右１００分の１に合わせます。これで正確な２００分の１の勾配が得られます。パイプの勾配入れ機です。【選択図】図１
2015187599.tif 000002
【特許請求の範囲】
【請求項１】
２本の、５ｍの溝付きレールに水平器をつけた横軸２０ｃｍ金具を３，８ｍの幅でつける、金具の中心にパイプ固定用のクリップをつける。逆Ｕの字型の頂点、２００分の１、１００ぶんの１
５０分の１、の角度で、マーカーをつけるクリップをつける
軸が倒れないように左右にそれぞれ２本の補助輪をつける
軸と補助輪の下部には滑車をつける。たとえば２００ぶんの１の勾配で配管をするときは、１００分の１と、２００ぶんの１の線を入れる、たとえば左に２００分の１の勾配で配管をしたとします、
角度月継ぎ手を用いてその次に右に２００分の１の勾配をつけたい    ときには、１００の１にあわせます。
これで右に２００分の１の勾配が得られます
たとえば既設の配管があって、角度の線が入っていないときには水平器を、使ってパイプの頂点を調べます。水平器の中心が頂点です
マーカーには４０ｍｍ、５０ｍｍ、６５ｍｍ、７５ｍｍ、１００ｍｍ、１２５ｍｍ１５０ｍｍ、の外形に、合わせた位置で、しるしを、打ちます。
また、運搬の時には、半分に折りたためるようにします。
おもに塩化ビニルー用の配管の時に使います。角度表示継ぎ手とともに使う、ビニール管用勾配入れ機。
【発明の詳細な説明】
【技術分野】
【０００１】本発明は、主に塩化ビニール管、パイプに、２００分の１，１００分の１、５０分の１、の直線を入れる。配管をするときは、水平器を，使わなくても、角度入れ継手と勾配に、合わせることで、正確に勾配が取れるパイプの勾配入れ機である。
【背景技術】
【０００２】従来、配管をするときには、継ぎ手に水平器を当てて勾配をつけていた。
目視により配管をしていた、そのため時間もかかり正確さにもかけていた。
【発明の開示】
【発明が解決しようとする課題】
【０００３】そのために次のような問題点があった。
（イ）継ぎ手を使い配管をするときには、水平器を使っていた
（ロ）効率が悪く、また目視によるものであり、正確さにもかけていた。
本発明は、以上の問題点を解決しようとするものである。
【課題を解決するための手段】
【０００４】逆Ｕボルト軸の前後に、補助輪をつける、それぞれ足に滑車をつける、金具の中心点、２００分の１，１００分の１、５０分の１、の勾配の位置にクリップをつける。
マーカーには４０ｍｍ、５０ｍｍ、６５ｍｍ、７５ｍｍ、１００ｍｍ、の外形に合わせた位置に印をつける、横軸の水平を合わせ縦軸の溝付きレールに乗せて滑らせる
バイプの勾配入れ機である。
【発明の効果】
【０００５】本発明は、角度継ぎ手を用い配管をするときに水平器を使わなくても配管が出来る、また目視による配管よりも正確である。
【発明を実施するための最良の形態】
【０００６】  以下、本発明の実施の形態を説明する。
（イ）逆  Ｕボルト状の金具に２本ずつの補助輪をつけ
（ロ）それぞれの足に滑車をつける、２００分の１、１００分の１，５０分の１、の角度になるようにクリップをつける、マーカーには４０ｍｍ、５０ｍｍ、６５ｍｍ、７５ｍｍ、１００ｍｍ、１２５ｍｍ、１５０ｍｍ、の外形に合わせた位置で印をつける。それを溝付きレールーに乗せ、水平器で水平を合わせパイプをクリップで固定して溝付きレールーの溝で、滑らせる。
【図面の簡単な説明】
【０００７】
【図１】  溝付きレールーに逆Ｕボルト状の繊維歴を乗せたときの斜視図
【図２】  逆Ｕボルト状の金具に補助輪とそれぞれに滑車をつけた斜視図
【図３】  前後に水平器をくけた溝付きレールー
【符号の説明】
【０００８】１    パイプ中心点クリップ
２    ２００分の１クリップ
３    １００分の１クリップ
４    ５０分の１クリップ
５    逆Ｕの字型クリップ
６    補助輪
７    滑車
８    パイプ
９    パイプ固定クリップ
１０  溝付きレール
１１  水平器
１２  折りたたみレール
１３  パイプ乗せ台
【図１】
2015187599.tif 000003
【図２】
2015187599.tif 000004
【図３】
2015187599.tif 000005
(57)【要約】【課題】植木鉢等の給水には、上部からの直接手動給水、タイマーを使った定時自動給水、鉢土中から給水紐を垂らした底面給水鉢の使用、鉢下部を間欠的に水中に漬ける生産農家方式等があるが、それぞれに問題があった。【解決手段】  鉢等を乗せる台盤に幅の狭い通水溝を縦横に配置し、溝の交叉位置に給水柱設置スペースを設け、任意の溝端には給排水用のチューブ接続口を設けた植木鉢台を提供する。また、上記植木鉢台に於いて、給水柱設置スペースにスポンジ等の吸水性の高い給水柱を挿入し、その上に給水シートを敷設して底面給水させる植物栽培方法を提案する【選択図】図１
2015019661.tif 000002
【特許請求の範囲】
【請求項１】
鉢等を乗せる台盤に幅の狭い通水溝を一筋または１０〜１５ｃｍ程度の間隔で縦横に配置し、溝が一筋の場合はその中央に、溝を縦横に配置した場合は交叉位置に給水柱設置スペースを設け、任意の溝端には給排水用のチューブ接続口を設けた底面給水用植木鉢台。
【請求項２】
請求項１記載の植木鉢台に於いて、給水柱設置スペースに、上部が台盤上端より少し高くなる高さのスポンジ等の吸水性の高い給水柱を挿入し、台盤上には、給水柱と接する給水シートを敷設して、その上に乗せた植木鉢等に間接的に底面給水させる植物栽培方法。
【発明の詳細な説明】
【技術分野】
【０００１】  本発明は、チューブで定水位給水できる環境で、植木鉢等を乗せて底面給できる底面給水用植木鉢台と、この台上に給水シートを敷設して底面給水させる植物栽培方法である。
【背景技術】
【０００２】  植木鉢等の給水には、上部からの直接手動給水、タイマーを使った定時自動給水、鉢土中から給水紐を垂らした底面給水鉢の使用、鉢下部を間欠的に水中に漬ける生産農家方式等がある。【０００３】
【発明の概要】
【発明が解決しようとする課題】
【０００４】  直接手動給水は面倒だし、長期外出時に困るし、鉢皿に水が溜まると根腐れの恐れもあるし、汚水が美観を損ねる。タイマー給水は、給水手間は掛からないが、日毎の給水量変化への対応が難しく、水道や電気が必要だし、屋内では使用できないし、半固定的な設備だし、費用が掛かる。【０００５】  底面給水鉢は、下部に水槽を設置して給水紐を垂らす方法で、植木の必要分だけ自動給水できるので合理的だが、水槽容量が限定されるので、吸水量の多い植物には不適当だ。また、鉢下部を間欠的に水中に漬ける生産農家方式は、設備費が高額だし、伝染病等の問題もあるようだ。
【課題を解決するための手段】
【０００６】  鉢等を乗せる台盤に幅の狭い通水溝を一筋または１０〜１５ｃｍ程度の間隔で縦横に配置し、溝が一筋の場合はその中央に、溝を縦横に配置した場合は交叉位置に給水柱設置スペースを設け、任意の溝端には給排水用のチューブ接続口を設ける。【０００７】  給水柱設置スペースは、給水柱が移動しないための必要から、通水溝よりは幅を広くしておく必要があるが、一般用では、吸水量を勘案しながら、できるだけ狭くしておけば、小さい鉢を載せた場合でも安定する。【０００８】  給水柱は、スポンジ等の吸水性の高い材料で作り、通水溝から吸水した水を台盤上に敷かれた吸水シートに間接的に供給する役割を果たすが、通水溝の通水を良くするために、溝底との間に隙間を設けると良く、そのために給水柱設置スペースに給水柱受け台を設けると良い。【０００９】  また、必要により、外周に防水堤を設ける。単独鉢用の場合は直接給水紐を使っても底面給水できるべく、給水柱設置スペースを大きくしておくと良く、直接の手給水のことを考えれば、台盤を中央へ向かって幾分の下り勾配にしておくと良い。また、台盤下には、必要により台盤材厚や鉢重量に対応した補強リブを設けると良い。【００１０】  任意の通水溝端末には、水位観測窓を設けると良い。通水溝の材質を透明にしておけば役割を果たせるが、溝端に着色浮玉を封入する形式にすれば分かり易くなる。
【発明の効果】
【００１１】  各種の方法で底面給水できる。台盤上に吸水シートを敷設して使う場合は、給水柱を給水柱設置スペースに挿入して使うが、任意位置に底面接触給水鉢（特許出願受付番号：２１３０１２１０１２７）を乗せて使う方法と、直接吸水シート上に土を置く方法を採ることができる。前者は電子調理器的感覚の給水になる。【００１２】  従来の植木鉢を乗せて使う場合は、鉢底から給水紐を差し込んで底面給水させることもできる。吸水シート上に置いても良いし、単独鉢用の場合は、直接給水柱設置スペースに紐を垂らしても良い。また、防水堤を高くして、給水面を台盤より上に設定すれば、鉢底を一部浸水した底面給水とすることもできる。【００１３】  上部から直接手給水する時は水受け皿として利用でき、余剰水は通水溝に落ちるので、汚れた水は見えないし、チューブを使って排水もでき、根腐れの恐れも無い。【００１４】  台盤面積に比し溝幅は狭いので、給水や排水が迅速にでき、植物が必要とするだけの給水量で良く、溝を使って間接的に吸水シートに給水するから、均等に給水できる。また、単純構造だから、安価で提供できる。
【図面の簡単な説明】
【００１５】
【図１】  一般用平面図
【図２】  単独鉢用平面図
【図３】  Ａ断面図
【図４】  Ｂ断面図
【発明を実施するための形態】
【００１６】  本発明で底面給水するには、水位を一定にしたチューブ給水ができる環境が前提になるが、これについては権利請求の範囲外である。台盤上に吸水シートを敷設して使う場合は、通水溝の水位を台盤上端より幾分低くした常用水位で使用する。通水溝の水は、給水柱によって吸い上げられ吸水シートに供給される。
【符号の説明】
【００１７】  １  台盤
２  通水溝
３  給水柱
４  給水柱設置スペース
５  給水柱受け台
６  チューブ接続口
７  水位観測窓
８  補強リブ
９  防水堤
１０  吸水シート
１１  チューブ
１２  常用水面
【図１】
2015019661.tif 000003
【図２】
2015019661.tif 000004
【図３】
2015019661.tif 000005
【図４】
2015019661.tif 000006
(57)【要約】【課題】カブトムシの幼虫（４）自ら容器（２）に進入するため、手間が省けるだけでなく、容器（２）も小型化でき、低コストにて変態観察を容易にする蛹室を提供する。【解決手段】腐葉土等の飼育マット（３）に、容器（２）とカブトムシの幼虫（４）の入った状態にすることで、蛹化直前を向えたカブトムシの幼虫（４）自ら容器（２）の中に進入させ、変態観察を容易にする蛹室を完成させることを特徴とする。【選択図】図１
2015019660.tif 000002
【特許請求の範囲】
【請求項１】
腐葉土等の飼育マット（３）に、容器（２）とカブトムシの幼虫（４）の入った状態にすることで、蛹化直前を向えたカブトムシの幼虫（４）自ら容器（２）の中に進入させ、蛹室を完成させる蛸壺式カブトムシ蛹室作成方法。
【発明の詳細な説明】
【技術分野】
【０００１】この発明は、カブトムシの幼虫の習性を利用し、変態（蛹化・羽化）観察を容易にする蛹室を意図的に完成させることに関するものである。
【背景技術】
【０００２】従来、カブトムシの変態観察を容易にする蛹室を作らせるには、透明又は半透明の幼虫よりかなり大きな容器に、幼虫を人為的に投入していた。
【先行技術文献】
【特許文献】
【０００３】
【特許文献１】特許公開平７−２２７１７７
【特許文献２】特許公開２０１２−１６３１２
【非特許文献】
【０００４】
【非特許文献１】登録実用新案第３０３３６６８号
【非特許文献２】登録実用新案第３０７４０４１号
【非特許文献３】登録実用新案第３１２５８５４号
【非特許文献４】登録実用新案第３１５３８６３号
【発明の概要】
【発明が解決しようとする課題】
【０００５】これら、先行技術文献の実施方法の共通点として、幼虫を容器に人為的に投入しており、容器も幼虫にストレスを与えない程度の大きなものが必要で、手間と容器代でコスト高となる欠点があった。
【課題を解決するための手段】
【０００６】腐葉土等の飼育マット（３）に、容器（２）とカブトムシの幼虫（４）の入った状態にすることで、蛹化直前となったカブトムシの幼虫（４）自ら容器（２）の中に進入させ、変態観察を容易にする蛹室を完成させるものである。
【発明の効果】
【０００７】カブトムシの幼虫（４）自ら、容器（２）に進入するため、手間が省けるだけでなく、容器（２）も小型化でき、低コストにて変態観察を容易にする蛹室を完成させることができる。
【図面の簡単な説明】
【０００８】
【図１】ケース（１）の中に、容器（２）、腐葉土等の飼育マット（３）、カブトムシの幼虫（４）の入った斜視図。
【図２】ケース（１）を用いず、腐葉土等の飼育マット（３）の中に、容器（２）とカブトムシの幼虫（４）の入った斜視図。
【発明を実施するための形態】
【０００９】元来、カブトムシの幼虫（４）は、蛹化時には蛹室同士が干渉しない様に各々作る習性があり、本発明はその習性を利用している。
立体状または袋状のケース（１）の中、もしくはケース（１）なく、腐葉土等の飼育マット（３）に、透明又は半透明の立体状の容器（２）とカブトムシの幼虫（４）の入った状態にすると、海中のタコが蛸壺に入るように、蛹化直前を向えたカブトムシの幼虫（４）は、その習性から自ら容器（２）に進入する。
その後、蛹室完成を見計らって容器（２）を掘り出し、容器（２）の外面を掃除し、空気流通可能な蓋をすると良い。
【符号の説明】
【００１０】１  ケース      ２  容器        ３  腐葉土等の飼育マット
４  カブトムシの幼虫
【図１】
2015019660.tif 000003
【図２】
2015019660.tif 000004
(57)【要約】      （修正有）【課題】身体に障害のある方、一時的に箸などが持てない方や、乳児に食事をさせる時、指１本で簡単に使用でき、それ自体が自立できる円錐型補助食器を提供する。【解決手段】樹脂製又は金属製の素材で、柄部４を中空構造７の円錐状にし、先端部に取り外しできるさじ部又はフォーク部を設け、柄部底面に柄部と連結させた蓋５を配し、使用目的によって先端部が交換できるようにする。【選択図】図４
2015020000.tif 000002
【特許請求の範囲】
【請求項１】
樹脂製又は金属製の素材で柄部を中空構造の円錐状にし先端部に取り外しできるさじ部又はフォーク部を設け、柄部底面に柄部と連結させた蓋を配し、使用目的によって先端
部が交換できるよう構成されたことを特徴とする円錐型補助食器。
【請求項２】
柄部に凸部、さじ部とフォーク部に前記凸部差し込み溝を施したことを特徴とする請求項１に記載する円錐型補助食器。
【請求項３】
樹脂製又は金属製の素材で、柄部を中空構造の円錐状にし、先端部にさじ部を設け、柄部底面に柄部と連結させた蓋を配し、一体成型で構成されたことを特徴とする円錐型補
助食器。
【請求項４】
樹脂製又は金属製の素材で、柄部を中空構造の円錐状にし、先端部にフォーク部を設け、柄部底面に柄部と連結させた蓋を配し、一体成型で構成されたことを特徴とする円錐型補助食器。
【発明の詳細な説明】
【技術分野】
【０００１】
本発明は、身体に障害のある方、一時的に箸などを持つことの出来ない方や、乳児を抱
いて片手で食事をさせる時、指一本だけで簡単に食事が出来るよう対策を施し,それ自体
で自立できるよう構成した円錐型補助食器に関するものである。
【背景技術】
【０００２】
従来から、スプーンに関する器具は、提供されていた。
（特許文献１〜４）
【先行技術文献】
【特許文献】
【０００３】
【特許文献１】特開２００８−９３３７５
【特許文献２】特開２０００−９３２８１
【特許文献３】登録実用新案第３１５６２２３号
【特許文献４】登録実用新案第３０２４７８８号
【発明の概要】
【発明が解決しようとする課題】
【０００４】
体に障害のある方や、一時的に箸などを持つことの出来ない方の食事には、介助人が付き添い食事の補助をしなければならなかった。また、乳児を抱いたまま食事をさせる場合、片手で箸やスプーン、フォークを持ち、口からこぼれ出た食べ物を拭くため、その都度、箸やスプーン、フォークを置かなければならず不便であった。本発明は、通常の場合、箸を持ったりスプーンやフォークを指で掴む場合、親指、薬指、中指の３本を使わなくてはならないところ、指１本で食事が簡単にでき、それ自体が自立できる補助食器を提供することを本発明の目的とするものである。
【課題を解決するための手段】
【０００５】
次に、上記課題を解決するために、その手段を説明する。
【０００６】
本発明の請求項１は、樹脂製又は金属製の素材で、柄部を中空構造の円錐状にし、先端部に取り外しできる、さじ部又はフォーク部を設け、柄部底面に柄部と連結させた蓋を配し、使用目的によって先端部が交換できるよう構成されたことを特徴とする円錐型補助食器。
【０００７】
本発明の請求項２は、柄部に凸部、さじ部とフォーク部に前記凸部差し込み溝を施したことを特徴とする請求項１に記載する円錐型補助食器。
【０００８】
本発明の請求項３は、樹脂製又は金属製の素材で、柄部を中空構造の円錐状にし、先端部にさじ部を設け、柄部底面に柄部と連結させた蓋を配し、一体成型で構成されたことを特徴とする円錐型補助食器。
【０００９】
本発明の請求項４は、樹脂製又は金属製の素材で、柄部を中空構造の円錐状にし、先端部にフォーク部を設け、柄部底面に柄部と連結させた蓋を配し、一体成型で構成されたことを特徴とする円錐型補助食器。
【発明の効果】
【００１０】
本発明は以上のべたように構成されているので、以下に記載されるような効果を奏す。
【００１１】
身体に障害のある方、一時的に箸を持てない方や、乳児を抱いて片手で食事をさせる
時、指一本だけで簡単に食事ができる。
【００１２】
補助食器自体が自立できるため、さじ部、フォーク部がテーブル等に接触せず、衛生
的である。
【００１３】
補助食器の柄部底面に取り外し可能な蓋が付いてるため、蓋を付ければ通常のスプー
ンとしても使用できる。
【００１４】
空洞部が汚れても、水洗いができ衛生的である。
【００１５】
１器具で使用目的によって、スプーンやフォークとして使用でき、利便性が高まる。
【図面の簡単な説明】
【００１６】
【図１】補助食器底部の蓋を閉め、自立させた円錐型補助食器の斜視図である。
【図２】円錐型補助食器を一体成型したスプーンの斜視図である。
【図３】円錐型補助食器を一体成型したフォークの斜視図である。
【図４】円錐型補助食器の底面の蓋を取り、指を挿入しているところの斜視図である。
【図５】柄部先端部に取り付けるさじ部とフォーク部の平面図である。
【図６】柄部に凸部を設けた斜視図である。
【発明を実施するための形態】
【００１７】
次は、この発明の実施の形態について説明する。
【００１８】
図１の円錐型補助食器の構成を説明する。補助食器柄部４を中空構造７の円錐状にし、先端部に取り外しできる、さじ部２又はフォーク部３、底面に柄部４と連結させた蓋部５を設け、円錐型補助食器１自体で自立できる構造にしたものが、円錐型補助食器である。
【００１９】
図２の円錐型補助食器の構成を説明する。さじ部２、柄部４、蓋部５が一体で成形された、円錐型補助食器である。
【００２０】
図３の円錐型補助食器の構成を説明する。フォーク部３、柄部４、蓋部５が一体で成形された、円錐型補助食器である。
【００２１】
図４の円錐型補助食器の構成を説明する。底面に取り付けた蓋部５を取り外し、中空構造にした底面から指８を挿入し、指１本で使用できる構造にしたものが、円錐型補助食器である。
【００２２】
図５の円錐型補助食器の構成を説明する。スプーン部２又は、フォーク部３を柄部４と連結固定させる溝a1、a2加工を施した構造にしたものが、円錐型補助食器である。
【００２３】
図６の円錐型補助食器の構成を説明する。スプーン部２又は、フォーク部３を柄部４と連結固定させる凸部b1を設けた構造にしたものが、円錐型補助食器である。
【符号の説明】
【００２４】
１      円錐型補助食器
２      さじ部
３      フォーク部
４      柄部
５      蓋部
６      連結部
７      空洞部
８      指
a1      溝部
a2      溝部
b1      凸部
【図１】
2015020000.tif 000003
【図２】
2015020000.tif 000004
【図３】
2015020000.tif 000005
【図４】
2015020000.tif 000006
【図５】
2015020000.tif 000007
【図６】
2015020000.tif 000008
(57)【要約】      （修正有）【課題】複数での対戦ボードゲームを提供する。【解決手段】三角錐の駒１０，１１、・・・を使い、各面に異なった色を彩色するとともにその面と対峙している頂点にも同じ色を彩色した駒を、頂点を下に向けて置いた時駒が倒れないように穴ないし窪みあるいは突起のあるゲーム盤で、それぞれの面の色を自分の駒の色と定めてゲームを進めていく。又今までにある２人対戦のゲームと比較しても、多人数対戦の場合には戦局の先を見通すことが難しく奥の深い面白いゲーム展開が期待でき、そのため脳に刺激が与えられるため認知症予防の効果も期待でき、ゲーム盤を囲んで３人又は４人まで同時にゲームに参戦することが出来る。【選択図】図５
2015019728.tif 000002
【特許請求の範囲】
【請求項１】
三角錐である四面体で構成し、各面に異なった色を彩色するとともにその面と対峙している頂点にも同じ色を彩色した駒を、頂点を下に向けて置いた時駒が倒れないように穴ないし窪みあるいは突起のあるゲーム盤を特徴とする三角錐の駒を使うボードゲーム盤。
【請求項２】
ゲーム盤はプレートを使用可能としたことを特徴とする請求項１記載の三角錐の駒を使うボードゲーム盤。
【発明の詳細な説明】
【技術分野】
【０００１】
この発明は、駒とゲーム盤に関するものである。
【背景技術】
【０００２】
今までのゲームは、２人で遊ぶ（対戦する）ものはたくさんの種類があった。この種のゲーム盤としては囲碁、将棋  あるいはオセロ（登録商標）などが周知のものとして存在する。
【先行技術文献】
【特許文献】
【０００３】
【特許文献１】特開平１１−２９０５０１号公報
【発明の概要】
【発明が解決しようとする課題】
【０００４】
この発明のゲームは、基本的には１対１で対戦するものではあるが、ゲーム盤を囲んで３人又は４人まで同時にゲームに参戦することが出来る事を特徴とするものである。
【課題を解決するための手段】
【０００５】
上記目的を達成するため、本発明は駒の形を三角錐（正四面体が望ましい）にし、それぞれの面は色分けしてあり同時に面と対になっている頂点にも同色の色を施した。また盤は三角錐の頂点を下にして正三角形である面が上面に現れるものとする。
【発明の効果】
【０００６】
本発明は、ゲーム盤と駒が立体的であり、１対１で対戦する事を基本としているが、３人又は４人と同時に対戦することが出来るの。したがって今まではゲーム盤１面で２人だけの楽しみであり、他の人は観戦のみで参加することが出来ず寂しい思いをすることが多かった。本ゲームでは３人又は４人まで同時に対戦でき、ゲーム盤を囲んで多人数で楽しむことが出来る。又今までにある２人対戦のゲームと比較しても、多人数対戦の場合には戦局の先を見通すことが難しく奥の深い面白いゲーム展開が期待でき、そのため脳に刺激が与えられるため認知症予防の効果も期待されるところである。
【図面の簡単な説明】
【０００７】
【図１】駒の斜視図。
【図２】盤の平面図。
【図３】２人用ボードの説明図
【図４】３人用ボードの説明図
【図５】４人用ボードの説明図
【図６】ルールを説明するための説明図。
【図７】突起物タイプの盤の斜視図。
【符号の説明】
【０００８】
１    ４色の色を配色した齣
２    ゲーム盤
３    ゲーム盤の穴形状
４    ２人対戦時のマスク
５    ３人対戦時のマスク  
６    ２人対戦時の最初の駒位置配列プレート
７    ３人対戦時の最初の駒位置配列プレート
８    ４人対戦時の最初の駒位置配列プレート
９    駒をゲーム盤たてるための突起
１０    駒面１
１１    齣面２
１２    齣面３
１３    齣面３
【実施例１】
【０００９】
以下に本発明の構成を図面に基づき説明する。１は駒で三角錐の構造となっている、すなわち三角錐の四面体であり各面にはそれぞれ異なる色を着色している。色は多種多様に存在するので特に拘らない。（本説明では解り易くするために赤、青、黄、緑の４色で説明する。）又駒の三角形の面と同じ色をその面の対となる頂点に施せば駒を立てるべき方向の目印となり、ゲームの進行をスムーズに行うことが出来る。着色しない場合はそれぞれの面にドットないし数字を施してもよい。２はゲーム盤であり１の駒が頂点を下向きにして正三角形の穴もしくは逆三角錐の窪みあるいは４の突起物（これは駒の頂点を下向きに置いた時倒れないような受け皿的なもの。）に差し込むように置くことで面が上になるようになっている。また配置する穴は三角形に拘るものではなく、駒が安定配置出来る物ならどのような構造でもよい。（本説明では正三角形の穴として説明する。）
駒を立てる穴と穴の間隔は指で駒を置いたり取ったりする時にスムーズに行うことが出来るように適度な間隔を確保する。ゲーム盤２は携帯に便利なように２つ折り程度に折り畳めるようにしてもよい。
【実施例２】
【００１０】
次に上記ゲーム盤を用いたゲームのルールについて説明する。
テトラウィットは120カ所の三角錐状に窪ませたボード表面の正三角形の一辺を平行に配列した対戦ボードと、三角錐（正四面体）の各面々を赤、青、黄、緑に配色した駒を使用し2人用プレート、3人用プレートを使用して、2人から4人で対戦するボードゲームである。
最初にくじ引きで、各プレーヤーの使う駒面の色を決める。
手を進める順番は、2人対戦は赤→青、3人対戦は赤→青→黄、4人対戦は赤→青→黄→緑の順番で進める。
最初は、すでに置いてある自色の配置駒と、新しく置く自色の駒で、他色の駒を挟み込み、自色の駒面に置換えていく。
挟み込める方向は、三角形の辺の延長線と頂点の延長線の6方向で、１個の自色の駒で他色の駒を何個でも挟んで良く、駒の配列によっては多方向挟む事も出来る。
各プレーヤーは、決まった色順番どおりに、自色の駒で他色の駒を挟み自色の駒面に置換えていく。
他色の駒を挟む手が無い場合は、他色の駒に隣接した場所なら何処にでも配置する事が出来、基本的にパスは無いものとする。
全ての升目が埋まり次第ゲームは終了。
ゲームの勝敗は、自色駒の数が多い順番で各プレーヤーの勝敗が決定する。
もし他のプレーヤーが駒の置換えるのを忘れた、又は置換え過ぎている場合は、指摘して直させる事はできるが、指摘しなくてもよい。
ただし、次のプレーヤーが手を進めた時点での指摘は無効とする。
【００１１】
本発明はゲームとしては単純であるかもしれないが、３人あるいは４人での対戦となると戦略的に非常に奥深いゲームとなり。特にみんなで楽しめるという効果は大きい。人間関係の醸成にも貢献できるものである。
【図１】
2015019728.tif 000003
【図２】
2015019728.tif 000004
【図３】
2015019728.tif 000005
【図４】
2015019728.tif 000006
【図５】
2015019728.tif 000007
【図６】
2015019728.tif 000008
【図７】
2015019728.tif 000009